(57)【要約】【課題】  通話の終了を検出して終話動動作し、更に通話時間をカウントして決められた時間で終話する自動終話時間が来ても通話が継続していたら終話時間を延長するインターホン装置を提供する。【解決手段】  居室親機２に、通話路に音声信号の無い無音時間を２０秒カウントする無音タイマ１５、通話路が形成されたら９０秒後に通話路を遮断するための通話タイマ１６、通話路の形成を延長するための延長タイマ１７を設け、親機制御部１８は、通話路形成中に通話路の無音時間が２０秒続いたら終話制御し、通話路を形成してから８０秒経過後に音声信号を検出したら終話制御する時間をその時点から２０秒延長させた。【選択図】  図１
2009159500.tif 000002
【特許請求の範囲】
【請求項１】
来訪者が居住者を呼び出して通話するための玄関子機と、前記玄関子機の呼び出しに応答するための居室親機とを備えたインターホン装置において、
前記居室親機は、前記玄関子機との通話路形成中に通話路の音声信号を検出する音声検出手段と、無音時間の長さをカウントする無音タイマと、前記無音タイマによるカウントが第１の設定時間に達したら通話路を遮断して終話制御を行う通話路制御手段とを備えたことを特徴とするインターホン装置。
【請求項２】
前記無音タイマがカウントアップする所定時間前に、前記居室親機の報音部から通話路形成中であることを報知動作させる報知制御手段を有することを特徴とする請求項１記載のインターホン装置。
【請求項３】
前記居室親機は、前記玄関子機との間で通話路が形成されたら、前記第１の設定時間より長い第２の設定時間のカウントを行い、カウントアップしたら前記通話路制御手段が終話制御するための通話タイマと、前記通話タイマのカウントが前記第２の設定時間に近づいても通話が継続されていたら、第３の設定時間のカウントを開始して終話制御を遅らせるための延長タイマとを備え、
前記通話路制御手段は、前記延長タイマが起動していなければ前記通話タイマがカウントアップした時点で終話制御し、前記第２の設定時間に近づいても前記音声検出手段が音声信号を検出し続けたら、前記延長タイマを動作させて、延長タイマがカウントアップした時点で終話制御することを特徴とする請求項１又は２記載のインターホン装置。
【請求項４】
来訪者が居住者を呼び出して通話するための玄関子機と、前記玄関子機の呼び出しに応答するための居室親機とを備えたインターホン装置において、
前記玄関子機に来訪者を検知するための人感センサを設けると共に、前記居室親機には、前記玄関子機との通話路が形成された後、前記人感センサが人体を検知しなくなったら、通話路を遮断して終話制御を行う通話路制御手段を設けたことを特徴とするインターホン装置。
【請求項５】
前記居室親機は、前記人感センサが人体を検知しなくなったら所定時間のカウントを開始する終話タイマを有し、前記通話路制御手段は前記終話タイマがカウントアップしたら終話制御することを特徴とする請求項４記載のインターホン装置。
【発明の詳細な説明】
【技術分野】
【０００１】
本発明は、来訪者が居住者を呼び出して通話するためのインターホン装置に関し、特にハンズフリー型のインターホン装置に関する。
【背景技術】
【０００２】
玄関に居住者を呼び出す為の玄関子機を設け、居室に玄関子機からの呼び出しにハンズフリーで応答するための居室親機を設けた従来のインターホン装置は、玄関子機からの呼び出しに対して、居室親機の通話ボタンを押すことで通話路が形成されて通話が可能となる。そして、通話が終了したら再度通話ボタンを押すことで終話が成され、形成された電路が遮断される（例えば、特許文献１参照）。
【特許文献１】特開平１１−２３９３４４号公報
【発明の開示】
【発明が解決しようとする課題】
【０００３】
しかしながら、上記従来のインターホン装置は、通話が終わったにも拘わらず終話操作をし忘れた場合は、室内の音声が玄関子機を通じて外に漏れてしまう虞があった。そのため、このようなインターホン装置は、通常通話路が形成されてから一定時間が経過すると自動終話するよう構成されている。この自動終話動作は、通話中に遮断動作しないように比較的長い時間に設定したいが、長すぎると上述したように室内の音声が漏れ続ける問題があるため、例えば９０秒に設定されていた。
【０００４】
このように、終話操作しなければ長時間に亘り通話路が形成され続けることはなく、通話が長引いた場合は通話中でも遮断されてしまうことがあり、この場合は居室親機側から再接続することができず、もう一度玄関子機から呼出操作を行ってもらい、居室親機で通話ボタンを押して応答操作するという操作が必要で、来訪者や居住者にとっては面倒な操作となっていた。
【０００５】
そこで、本発明はこのような問題点に鑑み、通話の終了を検出して終話動作し、更に通話時間をカウントして決められた時間で終話する自動終話時間が来ても通話が継続していたら終話時間を延長するインターホン装置を提供することを目的とする。
【課題を解決するための手段】
【０００６】
上記課題を解決する為に、請求項１の発明は、来訪者が居住者を呼び出して通話するための玄関子機と、玄関子機の呼び出しに応答するための居室親機とを備えたインターホン装置において、居室親機は、玄関子機との通話路形成中に通話路の音声信号を検出する音声検出手段と、無音時間の長さをカウントする無音タイマと、無音タイマによるカウントが第１の設定時間に達したら通話路を遮断して終話制御を行う通話路制御手段とを備えたことを特徴とする。
この構成によれば、決められた通話時間の経過を待つことなく、無音状態が一定時間継続されると自動的に終話するので、終話操作を忘れた場合であっても短時間で通話路を遮断できる。よって、室内の音が玄関子機から漏れ続けることがなく、居住者は安心して来訪者と通話できる。
【０００７】
請求項２の発明は、請求項１に記載の発明において、無音タイマがカウントアップする所定時間前に、居室親機の報音部から通話路形成中であることを報知動作させる報知制御手段を有することを特徴とする。
この構成によれば、無音状態が継続していることで自動終話される場合、終話制御前に居住者に通知するので、知らない間に終話制御されてしまうことを防止できるし、居住者はまだ通話路が形成されていることを認識でき、利便性が良い。
【０００８】
請求項３の発明は、請求項１又は２に記載の発明において、居室親機は、玄関子機との間で通話路が形成されたら、第１の設定時間より長い第２の設定時間のカウントを行い、カウントアップしたら通話路制御手段が終話制御するための通話タイマと、通話タイマのカウントが第２の設定時間に近づいても通話が継続されていたら、第３の設定時間のカウントを開始して終話制御を遅らせるための延長タイマとを備え、通話路制御手段は、延長タイマが起動していなければ通話タイマがカウントアップした時点で終話制御し、第２の設定時間に近づいても音声検出手段が音声信号を検出し続けたら、延長タイマを動作させて、延長タイマがカウントアップした時点で終話制御することを特徴とする。
この構成によれば、決められた通話時間をカウントする通話タイマがカウントアップしても、通話中であれば通話路が遮断されないので、通話が切断される事態を防ぐことがでる。
【０００９】
請求項４の発明は、来訪者が居住者を呼び出して通話するための玄関子機と、玄関子機の呼び出しに応答するための居室親機とを備えたインターホン装置において、玄関子機に来訪者を検知するための人感センサを設けると共に、居室親機には、玄関子機との通話路が形成された後、人感センサが人体を検知しなくなったら、通話路を遮断して終話制御を行う通話路制御手段を設けたことを特徴とする。
この構成によれば、玄関子機前に人物がいたら通話中、居なかったら通話終了と判断して終話制御するので、室内の音が玄関子機から漏れることがないし、居室親機で終話操作する必要が無い。
【００１０】
請求項５の発明は、請求項４に記載の発明において、居室親機は、人感センサが人体を検知しなくなったら所定時間のカウントを開始する終話タイマを有し、通話路制御手段は終話タイマがカウントアップしたら終話制御することを特徴とする。
この構成によれば、玄関子機の前から来訪者が居なくなっても直ぐに終話操作されないため、一時的に玄関子機から離れても通話を続けることができる。
【発明の効果】
【００１１】
本発明によれば、決められた通話時間の経過を待つことなく、無音状態が一定時間継続される、或いは来訪者が玄関子機前から居なくなると自動的に終話するので、通話が終了し終話操作を忘れた場合であっても、短時間で通話路を遮断できる。よって、室内の音が玄関子機から漏れ続けることがなく、居住者は安心して来訪者と通話できる。
また、決められた通話時間をカウントする通話タイマがカウントアップしても、通話中であれば通話路が遮断されないので、通話が切断される事態を防ぐことがでる。
【発明を実施するための最良の形態】
【００１２】
以下、本発明を具体化した実施の形態を、図面に基づいて詳細に説明する。
〈第１の形態〉
図１は、本発明に係るインターホン装置の第１の形態を示す構成図であり、１は来訪者が居住者を呼び出して通話するための玄関子機、２は玄関子機１からの呼び出しを受けて応答するための居室親機である。
【００１３】
玄関子機１には、来訪者を撮像するカメラ４、呼出ボタン５、居住者と通話するためのマイク６及びスピーカ７、ＣＰＵを備えて玄関子機１を制御する子機制御部８、居室親機２と通信するためのインターフェース（子機ＩＦ）９が設けられている。
【００１４】
居室親機２には、カメラ４で撮像した映像を表示する表示部１１、来訪者と通話するためのマイク１２及びスピーカ１３、通話操作等各種操作を行う操作部１４、無音時間をカウントする無音タイマ１５、通話路形成時間を規定する通話タイマ１６、通話時間を所定時間延長するための延長タイマ１７、ＣＰＵを備えて居室親機２を制御する親機制御部１８、玄関子機１と通信するインターフェース（親機ＩＦ）１９が設けられている。尚、ここでは無音タイマ１５のカウントアップ時間（第１の設定時間Ｔ１）は２０秒、通話タイマ１６のカウントアップ時間（第２の設定時間Ｔ２）は９０秒、延長タイマ１７のカウントアップ時間（第３の設定時間Ｔ３）は２０秒に設定されている。
【００１５】
上記構成のインターホン装置の動作は以下のようである。図２は呼出操作から終話するまでのタイマー動作を中心としたフローチャートを示し、この図に基づいて本発明の要部であるタイマー動作を中心に説明する。来訪者が玄関子機１の呼出ボタン５を操作して居住者を呼び出す（Ｓ１）と、呼出信号が居室親機２に送信されてスピーカ１３から呼出音が報音される。
尚、呼び出しに合わせてカメラ４が起動して、撮像した来訪者映像が居室親機２に送信されて表示部１１に表示されるが、カメラ４の動作や表示部１１の動作の詳細は省略する。
【００１６】
居室親機２のスピーカ１３から報音される呼出音を確認した居住者により、操作部１４の通話ボタン（図示せず）が操作されると、玄関子機１と居室親機２の間の通話路が形成されて通話モードに移行（Ｓ２）する。こうして通話が可能となり、親機制御部１８は通話時間を規定する通話タイマ１６を起動して、９０秒のカウントが開始される（Ｓ３）。
その後、通話タイマ１６が９０秒カウントした（Ｓ８）時点で自動終話動作するのを基本とするが、それまでに通話のない無音時間が２０秒発生したら（Ｓ１５）自動終話する。また、通話タイマ１６のカウントアップ１０秒前（通話路を形成してから８０秒後）に通話が継続されていたら、その時点から２０秒間は通話路を遮断しない（Ｓ１６）よう親機制御部１８は制御する。
【００１７】
状況別に詳細に説明すると、第１の状況として通話路が形成されてから６０秒以内で通話が終了した場合は次のようである。
親機制御部１８は通話路上の音声信号の有無を常時監視し、音声の無い無音状態が発生（Ｓ９）したら、無音タイマ１５を起動（Ｓ１０）して２０秒のカウントを行う。引き続き親機制御部１８の制御により、無音タイマ１５がカウントアップ１０秒前である１０秒のカウントを行ったら（Ｓ１２）、スピーカ１３から通話路が形成されている（通話モードである）ことを通知するためのブザー音が鳴動（Ｓ１３）される。その後、更に１０秒が経過して無音タイマ１５がカウントアップ（Ｓ１５）したら、終話制御がなされ、通話路が遮断される。こうして、終話操作を行わなくても、通話タイマ１６がカウントアップする前に終話が成される。
【００１８】
尚、通話モードであることを通知する形態は、ブザー音でなくとも音声により「通話中です」とアナウンスさせても良いし、表示部１１に残り時間のカウントダウン表示を合わせて実施しても良い。
【００１９】
次に、第２の状況として２０秒以上の無音時間が発生せず、通話タイマ１６がカウントアップする１０秒前の８０秒が経過する場合（通話路形成時から６０秒を超えて通話が継続された場合）は次のようである。
先ず、親機制御部１８の制御により、８０秒が経過するまでに、音声信号が無く無音状態となる毎に無音タイマ１５が起動（Ｓ１０）される。そして、その時間がカウントされ、音声信号を検知した時点でリセット（Ｓ１１，Ｓ１４）される。こうして、この無音タイマ１５が起動／リセットを繰り返して、２０秒以上の無音状態が無ければ８０秒間通話路が維持される。
【００２０】
このような動作が行われた後、８０秒が経過した時点（Ｓ４）で無音状態であれば、無音タイマ１５が起動してカウント（Ｓ５）が開始される。その後、親機制御部１８による音声信号の検出が引き続き行われ、音声信号が検出されなければ、即ち通話が再開されなければ、無音タイマ１５のカウントアップ（Ｓ７）か、通話タイマ１６のカウントアップ（Ｓ８）の、早くカウントアップしたタイミングにより終話制御される。
尚、無音タイマ１５のカウント中に音声信号を検出（Ｓ６）したら、延長タイマ１７が起動（Ｓ１６）して２０秒間通話路が維持され、２０秒経過（Ｓ１７）したら終話制御が成される。
【００２１】
一方、８０秒経過した時点（Ｓ４）で通話状態であれば、延長タイマ１７が起動（Ｓ１６）して２０秒延長（Ｓ１７）され、通話路形成から合計１００秒経過した時点で終話制御される。
【００２２】
このように、無音状態が一定時間継続されると通話が終了したと判断して自動的に終話するので、終話操作を忘れた場合であっても、短時間で終話制御される。よって、室内の音が玄関子機から漏れ続けることがなく、居住者は安心して来訪者と通話できる。
また、無音状態が継続していることで自動終話が成される場合、終話制御前に居住者に通知するので、知らない間に終話制御されてしまうことを防止できるし、居住者はまだ通話路が形成されていることを認識でき、利便性が良い。
更に、決められた通話時間をカウントする通話タイマがカウントアップしても、通話中であれば通話路が遮断されないので、通話が切断される事態を防ぐことがでる。
【００２３】
尚、上記実施形態では、延長タイマ１７を起動させて通話時間を延長させているが、単に通話タイマ１６のカウントアップ時間Ｔ２を例えば１２０秒に延長させても良いし、無音タイマ１５をリセットすることで兼用することが可能である。また、各タイマ１５，１６，１７のカウントアップ時間は任意であるし、固定した時間としても良いし、使用環境に応じて、容易に変更可能としても良い。また、通話路が形成された時点から、居室親機２の操作による終話操作は何時でも可能であり、操作部１４の所定の操作で容易に終話操作を行うことができる。
【００２４】
〈第２の形態〉
図３は本発明に係るインターホン装置の第２の実施形態を示す構成図であり、２１は来訪者が居住者を呼び出して通話するための玄関子機、２２は玄関子機１からの呼び出しを受けて応答するための居室親機である。
【００２５】
玄関子機２１には、来訪者を撮像するカメラ２４、呼出ボタン２５、居住者と通話するためのマイク２６及びスピーカ２７、ＣＰＵを備えて玄関子機２１を制御する子機制御部２８、居室親機２２と通信するためのインターフェース（子機ＩＦ）２９、接近した人物を検知する人感センサ３０が設けられている。
【００２６】
居室親機２２には、カメラ２４で撮像した映像を表示する表示部３１、来訪者と通話するためのマイク３２及びスピーカ３３、通話操作等各種操作を行う操作部３４、終話制御する時間をカウントする終話タイマ３５、ＣＰＵを備えて居室親機２２を制御する親機制御部３６、玄関子機２１と通信するインターフェース（親機ＩＦ）３７が設けられている。
【００２７】
このように構成されたインターホン装置の動作は以下のようである。来訪者が玄関子機２１の呼出ボタン２５を操作して居住者を呼び出すと、呼出信号が居室親機２２に送信されてスピーカ３３から呼出音が報音される。尚、呼び出しに合わせてカメラ２４が起動して、撮像した来訪者映像が居室親機２２に送信されて表示部３１に表示されるが、カメラ２４の動作や表示部３１の動作の詳細は省略する。
【００２８】
居室親機２２のスピーカ３３から報音される呼出音を確認した居住者により、操作部３４の通話ボタン（図示せず）が操作されると、玄関子機２１と居室親機２２の間の通話路が形成されて通話モードに移行する。こうして通話が可能となる。
一方で、呼出操作を受けて人感センサ３０が起動し、来訪者が玄関子機２１の前に居る間はそれを検知して検知信号が出力される。子機制御部２８は、この検知信号を受けて居室親機２２に送信する。
【００２９】
検知信号を受信した親機制御部３６は、検知信号を受信している間は通話モードを維持する。そして、検知信号を受信しなくなったら、即ち来訪者が玄関から居なくなったら、終話タイマ３５を起動し、例えば２０秒のカウントを開始する。その後、このカウントが終了したら終話制御して通話路を遮断する。但し、終話タイマ３５がカウント中に再度来訪者が現れ、人感センサ３０がそれを感知したら、終話タイマ３５はリセットされて、通話モードが維持される。
【００３０】
このように、玄関子機前に人物がいるかいないかを感知し、居たら通話中と判断して通話路の形成を続け、居なくなったら通話終了と判断して終話制御するので、室内の音が玄関子機から漏れることがない。また、居室親機で終話操作する必要が無く、自動終話するための通話タイマを設ける必要が無くなる。
また、終話タイマを設けることで、玄関子機の前から来訪者が居なくなっても直ぐに終話操作されないため、一時的に玄関子機から離れても通話を続けることができ、利便性が良い。
【００３１】
尚、人感センサ３０を使用して来訪者を感知する代わりに、玄関子機２１のカメラ２４で撮像した映像を解析して人物がいるか否か判断し、人物がいないと判断した場合には、終話するよう制御することも可能である。
また、上記第１の形態と第２の形態を組み合わせることもできる。この組み合わせにより、玄関子機１，２１前には人物はいないが、音声を検出できる場合には終話制御しなよう制御することが可能となるし、音声はないが人物を感知していれば終話制御しないという制御を行うことも可能となる。
【図面の簡単な説明】
【００３２】
【図１】本発明に係るインターホン装置の第１の実施形態を示すブロック図である。
【図２】図１のタイマ動作を中心とした動作の流れを示すフローチャートである。
【図３】本発明の第２の実施形態を示すブロック図である。
【符号の説明】
【００３３】
１・・玄関子機、２・・居室親機、８・・子機制御部、１３・・スピーカ（報音部）、１５・・無音タイマ、１６・・通話タイマ、１７・・延長タイマ、１８・・親機制御部（音声検出手段、通話路制御手段、報知制御手段）、２１・・玄関子機、２２・・居室親機、３０・・人感センサ、３５・・終話タイマ、３６・・親機制御部（通話制御手段）、Ｔ１・・第１の設定時間、Ｔ２・・第２の設定時間、Ｔ３・・第３の設定時間。
【図１】
2009159500.tif 000003
【図２】
2009159500.tif 000004
【図３】
2009159500.tif 000005